(57)【要約】【課題】物理的なユニットに画像データを関連付けて編集を行うことができる情報処理装置および制御方法を提供することを目的とする。【解決手段】録画タイトルを任意のチャプタ１１１〜１１４、１２１〜１２３に区切り、ブロック１４１〜１４４、１４５〜１４７に対応づけ、対応付け領域２８に配置し、さらに所望のブロック１４１、１４３、１４６を結合編集領域２９に再配置し、再配置されたブロックに対応づけられているチャプタ１１１、１２２，１１３をブロックの配置に従って編集処理を行い、新タイトル５３としてとする。【選択図】図３
2007157300.tif 000002
【特許請求の範囲】
【請求項１】
記録媒体に記録されている画像データを編集して表示する情報処理装置であって、
複数個のユニットを配置するための第１のエリア手段と、
前記複数個のユニットを再配置するための第２のエリア手段と、
前記画像データを任意のチャプタに区切り、所望のチャプタを前記複数個のユニットに対応づけ、前記第１のエリア手段に配置する配置手段と、
前記配置手段によって配置された前記複数個のユニットを、所望の配置にして前記第２のエリア手段に再配置する再配置手段と、
前記再配置手段によって再配置された前記複数個のユニットに対応づけられている前記チャプタである画像データを、再配置された前記複数個のユニットの配置に従って編集処理を行う編集手段と、
を具備することを特徴とする情報処理装置。
【請求項２】
請求項１に記載の情報処理装置において、
前記複数個のユニットは、それぞれ識別情報を備えており、前記第１のエリア手段および第２のエリア手段によって、前記識別情報が読み取られ、前記複数個のユニットの配置を判別することを特徴とする情報処理装置。
【請求項３】
請求項１に記載の情報処理装置において、
前記複数個のユニットはそれぞれ情報表示手段を備え、これらの情報表示手段に、対応づけられた画像データの一部を表示することを特徴とする情報処理装置。
【請求項４】
請求項１に記載の情報処理装置において、
前記複数個のユニットのうちの所定の複数のユニットを１つのグループとして分類することを特徴とする情報処理装置。
【請求項５】
請求項１に記載の情報処理装置において、
前記編集手段は、任意のタイミングで開始されることを特徴とする情報処理装置。
【請求項６】
記録媒体に記録されている画像データを編集して表示する情報処理装置であって、
複数個のユニットを配置するための第１のエリア手段と、
前記複数個のユニットを再配置するための第２のエリア手段と、
前記画像データを前記複数個のユニットに対応づけ、前記第１のエリア手段に配置する配置手段と、
前記配置手段によって配置された前記複数個の画像データを、所望の配置にして前記第２のエリア手段に再配置する再配置手段と、
前記再配置手段によって再配置された前記複数個のユニットに対応づけられている前記画像データを、再配置された前記複数個のユニットの配置に従って編集処理を行う編集手段と、
を具備することを特徴とする情報処理装置。
【請求項７】
記録媒体に記録されている画像データを編集して表示する情報処理装置の制御方法であって、
前記画像データを任意のチャプタに区切り、所望のチャプタを複数個のユニットに対応づけ、第１のエリア手段に配置する配置ステップと、
前記配置ステップによって配置された前記複数個のユニットを、所望の配置にして第２のエリア手段に再配置する再配置ステップと、
前記再配置ステップによって再配置された前記複数個のユニットに対応づけられている前記チャプタである画像データを、再配置された前記複数個のユニットの配置に従って編集処理を行う編集ステップと、
を含むことを特徴とする制御方法。
【請求項８】
記録媒体に記録されている画像データを編集して表示する情報処理装置の制御方法であって、
前記画像データを複数個のユニットに対応づけ、第１のエリア手段に配置する配置ステップと、
前記配置ステップによって配置された前記複数個のユニットを、所望の配置にして第２のエリア手段に再配置する再配置ステップと、
前記再配置ステップによって再配置された前記複数個のユニットに対応づけられている前記画像データを、再配置された前記複数個のユニットの配置に従って編集処理を行う編集ステップと、
を含むことを特徴とする制御方法。
【請求項９】
請求項７または８に記載の制御方法において、
前記複数個のユニットは、それぞれ識別情報を備えており、前記第１のエリア手段および第２のエリア手段によって、前記識別情報が読み取られ、前記複数個のユニットの配置を判別することを特徴とする制御方法。
【請求項１０】
記録媒体に記録されている画像データを編集して表示する情報読み取り装置で用いられるプログラムあって、
前記画像データを任意のチャプタに区切り、所望のチャプタを複数個のユニットに対応づけ、第１のエリア手段に配置する配置手順と、
前記配置手順によって配置された前記複数個のユニットを、所望の配置にして第２のエリア手段に再配置する再配置手順と、
前記再配置手順によって再配置された前記複数個のユニットに対応づけられている前記チャプタである画像データを、再配置された前記複数個のユニットの配置に従って編集処理を行う編集手順と、
をコンピュータに実行させるためのプログラム。
【請求項１１】
記録媒体に記録されている画像データを編集して表示する情報読み取り装置で用いられるプログラムあって、
前記画像データを複数個のユニットに対応づけ、第１のエリア手段に配置する配置手順と、
前記配置手順によって配置された前記複数個のユニットを、所望の配置にして第２のエリア手段に再配置する再配置手順と、
前記再配置手順によって再配置された前記複数個のユニットに対応づけられている前記画像データを、再配置された前記複数個のユニットの配置に従って編集処理を行う編集手順と、
をコンピュータに実行させるためのプログラム。
【発明の詳細な説明】
【技術分野】
【０００１】
本発明は、動画データの編集装置に係り、特に物理的なユニットに動画データを関連づけしてユニットの配置変更によって動画編集を容易に行うことができる情報処理装置および制御方法に関する。
【背景技術】
【０００２】
従来、動画データ等の画像データを編集する場合は、まずソフトウエア上に仮想的なオブジェクトを形成し、これらのオブジェクトに任意の画像データの対応づけを行う。そして、オブジェクトの配置を変更することにより、対応づけられた画像データの編集を行っている技術が開示されている（特許文献１参照）。
【特許文献１】特開平８−６５６１３号公報
【発明の開示】
【発明が解決しようとする課題】
【０００３】
しかしながら、上述した技術では、仮想的なソフトウエア上での処理のため、直感的な判りやすさが無い。
【０００４】
本発明は上述の事情を考慮してなされたものであり、物理的なユニットに画像データを関連付けて編集を行うことができる情報処理装置および制御方法を提供することを目的とする。
【課題を解決するための手段】
【０００５】
上記目的を達成するために、本願発明の一態様によれば、記録媒体に記録されている画像データを編集して表示する情報処理装置であって、複数個のユニットを配置するための第１のエリア手段と、前記複数個のユニットを再配置するための第２のエリア手段と、前記画像データを任意のチャプタに区切り、所望のチャプタを前記複数個のユニットに対応づけ、前記第１のエリア手段に配置する配置手段と、前記配置手段によって配置された前記複数個のユニットを、所望の配置にして前記第２のエリア手段に再配置する再配置手段と、前記再配置手段によって再配置された前記複数個のユニットに対応づけられている前記チャプタである画像データを、再配置された前記複数個のユニットの配置に従って編集処理を行う編集手段と、を具備することを特徴とする情報処理装置が提供される。
【発明の効果】
【０００６】
本発明によれば、物理的なユニットに画像データを関連付けて編集を行うことができる情報処理装置および制御方法を提供することが可能である。
【発明を実施するための最良の形態】
【０００７】
以下、図面を参照して本発明の実施形態を説明する。
【０００８】
図１には、本発明の一実施形態に係る情報処理装置のシステム構成図が示されている。この情報処理装置は、バッテリ駆動可能なノートブック型のコンピュータ１０として実現されている。
【０００９】
図１に示すように、コンピュータ１０は、コンピュータ本体と、ディスプレイユニット１１とから構成されている。ディスプレイユニット１１にはＬＣＤ（Liquid Crystal Display）からなる表示装置が組み込まれており、そのＬＣＤの表示画面１２はディスプレイユニット１１のほぼ中央に位置されている。
【００１０】
ディスプレイユニット１１は、コンピュータ１０に対して解放位置と閉塞位置との間を回動自在に取り付けられている。コンピュータ１０の本体側は薄い箱形の筐体を有しており、その上面にはキーボード１３、パームレスト上にはタッチパッド１４、および左右２つのボタン１４ａ、１４ｂ、側面には光学ドライブユニット１５等が配置されている。
【００１１】
図２は、コンピュータ１０の構成を示したブロック図である。
【００１２】
コンピュータ１０は、ＣＰＵ（Central Processing Unit）２０、Root Complex２１、主メモリ２４、グラフィクスコントローラ(End Point)２３、Root Complex２１とグラフィクスコントローラ２３とを接続するPCI Express Link２２、ディスプレイユニット１１、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、ＥＣ／ＫＢＣ２７に接続された入力デバイス２８、２９などを備えている。
【００１３】
Root Complex２１、グラフィクスコントローラ２３等は、PCI EXPRESS規格に準拠したデバイス（デバイス）である。Root Complex２１とグラフィクスコントローラ２３との間の通信は、Root Complex２１とグラフィクスコントローラ２３との間に配設されたPCI Express Link２２を介して実行される。
【００１４】
ＣＰＵ２０は、本コンピュータの動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳはハードウェアを制御するためのプログラムである。
【００１５】
Root Complex２１は、ＣＰＵ２０のローカルバスとグラフィクスコントローラ２３との間を接続するブリッジデバイスである。また、Root Complex２１は、PCI Express Link２２を介してグラフィクスコントローラ２３との通信を実行する機能も有している。
【００１６】
グラフィクスコントローラ２３は、本コンピュータのディスプレイモニタとして使用されるディスプレイユニット１１を制御する表示コントローラである。
【００１７】
ＥＣ／ＫＢＣ２７は、電力管理のためのエンベデッドコントローラと、キーボード（ＫＢ）２５およびタッチパッド１４を制御するためのキーボードコントローラとが集積された１チップマイクロコンピュータである。このＥＣ／ＫＢＣ２７は、ユーザによるパワーボタンの操作に応じて、電源コントローラと共同して、本コンピュータ１０をパワーオン／パワーオフする機能を有している。
【００１８】
以上のように構成された本発明の情報処理装置の制御方法について説明する。
【００１９】
図３は、放送波等を録画した録画データ（動画データ）等の画像データを編集するために使用するブロックユニットと、入力デバイス２８、２９の構成を示した模式図である。図４は、制御方法について説明したフローチャートである。なお、本願でいうところの「画像データ」は動画像データを含むものである。
【００２０】
図３に示すように、入力デバイス２８、２９は、コンピュータ１０に例えばＵＳＢ等のインターフェイスを介して接続される読み取り装置である。この入力デバイス上に例えばバーコード等の識別（ＩＤ）情報を備えたブロック等のユニット（物理的なスタブ）を配置する。
【００２１】
コンピュータ１０に録画された録画タイトル５０、５１は、動画編集ソフト等によってそれぞれチャプタ１１１〜１１４、１２１〜１２３ごとに分割されているものとする。
【００２２】
まず、図４に示すように、入力デバイス（第１のエリア手段）２８である対応付け領域では、配置されたブロックの配置を読み取る（ステップＳ１）。例えば図３に示すように、ブロック１４１、１４２，１４３，１４４が並列に並んでおり、その隣にブロック１４５，１４６，１４７が並列に並んでいる。この配置が読み取られる。
【００２３】
コンピュータ１０のＣＰＵ２０によって画像データとブロックユニットとの対応付けが行われる（ステップＳ２）。例えば、録画タイトル５０の録画チャプタ１１１をブロック１４１に対応づける。さらに、録画タイトル５０の録画チャプタ１１３をブロック１４３に対応づける。そして、録画タイトル５１の録画チャプタ１２２をブロック１４６に対応づける。
【００２４】
次に、入力デバイス（第２のエリア手段）２９である結合編集領域に、対応づけられた各ブロックを再配置する。例えば、ブロック１４１，１４６，１４３の順に並列に並べ、再配置する。
【００２５】
動画編集ソフトは、新タイトル５３として、各ブロック１４１，１４６，１４３に対応づけられた各チャプタ１１１，１２２，１１３をブロックの配置順に並べ替え、画像ファイルのチャプタ配置を更新する（ステップＳ３）。なお、この編集・更新作業は、自動的に行われるようにしてもよいし、任意のタイミングで行われるように設定することもできる。
【００２６】
なお、ブロックのＩＤ情報は、バーコード以外にもＩＣタグ等ＩＤ情報を有するものであれば限定されるものではない。また、各ブロックに液晶等の表示装置を設け、ブロック名、対応づけられたチャプタ名、またはチャプタの動画の一部等を表示するようにしてもよい。
【００２７】
さらに、上述した実施形態では、録画タイトル中のチャプタの関連付けについて説明したが、例えば、図３に示すように、録画タイトル５２のように、録画タイトル全体を所望のブロックに関連付けるようにしてもよい。また、上述した実施形態では、２つの入力デバイス（２つの領域）の例を示したが、３つ以上の入力デバイスとしてもよい。
【００２８】
また、複数のブロックを１つのグループとして、最初に順序は関係なく、まず分類してもよい。この場合は、上述した２つの入力デバイス以外の第３の入力デバイス等に分類することもできる。そして分類された複数のブロックを後から並べるようにしてもよい。
【００２９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３０】
【図１】本発明の第１実施形態に係る情報処理装置を適用したノートＰＣの構成を示す斜視図。
【図２】ノートＰＣの構成を示したブロック図。
【図３】画像データの編集処理について説明した概念図。
【図４】本発明の第１実施形態に係る情報処理装置を適用した制御方法を示すフローチャート。
【符号の説明】
【００３１】
１０…コンピュータ、１１…ディスプレイユニット、１２…表示画面、１３…キーボード、１４…タッチパッド、１４ａ．１４ｂ…ボタン、１５…光学ドライブユニット、２０…ＣＰＵ、２３…グラフィクスコントローラ、２４…主メモリ、２５…ハードディスクドライブ、２６…ＢＩＯＳ−ＲＯＭ、２７…ＥＣ／ＫＢＣ、２８、２９…入力デバイス、５０、５１…録画タイトル、５３…新タイトル。
【図１】
2007157300.tif 000003
【図２】
2007157300.tif 000004
【図３】
2007157300.tif 000005
【図４】
2007157300.tif 000006